(57)【要約】      （修正有）【課題】巻線からの漏れ磁束に起因する巻線の渦電流損、鉄心締付け金具及び損失低減のための磁気シールドで発生する損失を全体として低減することができる静止誘導電器を提供する。【解決手段】複数の珪素鋼板が積層されて形成される鉄心脚部１Ａ及び鉄心継鉄１Ｂとからなる鉄心１と、前記鉄心脚部に巻回された巻線４，５と、該巻線の上下に配置されて前記鉄心を締め付け固定する鉄心締付け金具２，３と、該鉄心締付け金具と前記巻線の間に配置された磁気シールド１０，２０とを備え、前記鉄心締付け金具と前記磁気シールドとの軸方向距離が、前記鉄心と前記磁気シールドとの径方向距離より大きくなるように構成されている。特に、前記磁気シールドは、珪素鋼板が複数枚積層されて一体に形成され、その磁気シールドを形成する前記珪素鋼板の圧延方向が、前記鉄心を構成する珪素鋼板の圧延方向と直角となるように配置されていることが好ましい。【選択図】図１
2014216524.tif 000002
【特許請求の範囲】
【請求項１】
複数の珪素鋼板が積層されて形成される鉄心脚部及び鉄心継鉄とからなる鉄心と、前記鉄心脚部に巻回された巻線と、該巻線の上下に配置されて前記鉄心を締め付け固定する鉄心締付け金具と、該鉄心締付け金具と前記巻線の間に配置された磁気シールドとを備え、
前記鉄心締付け金具と前記磁気シールドとの軸方向距離が、前記鉄心と前記磁気シールドとの径方向距離より大きくなるように構成されていることを特徴とする静止誘導電器。
【請求項２】
請求項１に記載の静止誘導電器において、
前記磁気シールドは、珪素鋼板が複数枚積層されて一体に形成され、前記磁気シールドを形成する珪素鋼板の圧延方向が、前記鉄心を構成する珪素鋼板の圧延方向と直角となるように配置されていることを特徴とする静止誘導電器。
【請求項３】
請求項２に記載の静止誘導電器において、
前記磁気シールドは、前記珪素鋼板の平面が水平方向の状態で前記鉄心を構成する珪素鋼板の圧延方向と直角となるように配置されているか、或いは前記珪素鋼板の平面が上下方向の状態で前記鉄心を構成する珪素鋼板の圧延方向と直角となるように配置されていることを特徴とする静止誘導電器。
【請求項４】
請求項１乃至３のいずれか１項に記載の静止誘導電器において、
前記巻線は、前記鉄心脚部に巻回された低圧側巻線及び該低圧側巻線の周囲に、該低圧側巻線と所定の間隙をもって巻回された高圧側巻線から成り、前記磁気シールドは、前記低圧側巻線と前記高圧側巻線との間隙を覆うように配置されていることを特徴とする静止誘導電器。
【請求項５】
請求項４に記載の静止誘導電器において、
前記磁気シールドは、前記鉄心締付け金具の長手方向に複数に分割されていることを特徴とする静止誘導電器。
【請求項６】
請求項５に記載の静止誘導電器において、
前記磁気シールドは、前記鉄心締付け金具の長手方向に３分割され、中央部に位置する磁気シールドの珪素鋼板の圧延方向が前記鉄心を構成する珪素鋼板の圧延方向と直角であり、かつ、両端に位置する磁気シールドの珪素鋼板の圧延方向が、前記中央部に位置する磁気シールドの珪素鋼板の圧延方向に対して直角であることを特徴とする静止誘導電器。
【請求項７】
請求項６に記載の静止誘導電器において、
前記中央部に位置する磁気シールドは平面形状が矩形であり、かつ、前記両端に位置する磁気シールドの平面形状が台形であることを特徴とする静止誘導電器。
【請求項８】
請求項６に記載の静止誘導電器において、
前記３つに分割された磁気シールドの平面形状が矩形であり、かつ、その両端に位置する磁気シールドは、前記中央部に位置する磁気シールドより断面積が小さいことを特徴とする静止誘導電器。
【請求項９】
請求項５乃至８のいずれか１項に記載の静止誘導電器において、
前記複数に分割された磁気シールドの各々は、保持ケースに収納され、該保持ケースの鉄心側が第１の支持部材を介して前記鉄心締付け金具に、前記保持ケースの反鉄心側が第２の支持部材を介して前記鉄心締付け金具に設けられている張出し構造物にそれぞれ固定されていることを特徴とする静止誘導電器。
【請求項１０】
請求項１乃至３のいずれか１項に記載の静止誘導電器において、
前記巻線の下側に配置される前記鉄心締付け金具は、箱形に形成されていることを特徴とする静止誘導電器。
【請求項１１】
請求項１０に記載の静止誘導電器において、
前記箱型の鉄心締付け金具と下部流路構造物間に配置されている磁気シールドは、絶縁物に埋め込まれていることを特徴とする静止誘導電器。
【請求項１２】
請求項１０又は１１に記載の静止誘導電器において、
前記箱形の鉄心締付け金具の内側には、冷却のための油流路が形成されており、該油流路を流れた鉱油の一部は、前記箱形の鉄心締付け金具に設けられた油導入穴を通じて前記高圧側巻線及び低圧側巻線に流れるように形成されていることを特徴とする静止誘導電器。
【請求項１３】
請求項１２に記載の静止誘導電器において、
前記巻線下方に配置された磁気シールドは、平面形状が矩形に形成され、前記油導入穴を避けて配置された２つの磁気シールドと、該磁気シールドより断面積が大きく、かつ、前記導入穴を避けて配置された前記２つの磁気シールド間を連結する別の磁気シールドとから構成され、前記２つの磁気シールドを構成する珪素鋼板の圧延方向は、前記鉄心を構成する珪素鋼板の圧延方向と直角となるように配置され、かつ、前記別の磁気シールドを構成する珪素鋼板の圧延方向は、磁気シールド３０ｂを構成する珪素鋼板の圧延方向と直角となるように配置されていることを特徴とする静止誘導電器。
【発明の詳細な説明】
【技術分野】
【０００１】
本発明は静止誘導電器に係り、特に、巻線の上下方向に配置される鉄心締付け金具における磁気シールド構造を改良した静止誘導電器に関する。
【背景技術】
【０００２】
通常、鉄心脚部及び鉄心継鉄部からなる鉄心と、その鉄心脚部の回りに巻かれた巻線とで構成される静止誘導電器において、特に、大型の鉄心を用いる場合は、鉄心を積厚方向の両側から上下の鉄心締付け金具で締付け、鉄心形状をしっかりと保持すると共に、上下の鉄心締付け金具を利用して巻線を保持することが行われている。
【０００３】
上述した鉄心締付け金具は、機械的強度を必要とするため、材質として金属（例えば鉄、ステンレス鋼等）が用いられる。また、鉄心締付け金具は、巻線付近の上方及び下方に配置されるため、巻線からの漏れ磁束により、鉄心締付け金具に渦電流が流れ、渦電流損失（熱）が生じる。この渦電流損失を低減するため、非磁性材のシールドを用いることもある。
【０００４】
一方、巻線を構成する電線内でも漏れ磁束による渦電流損失が発生することが知られている。特に、巻線の上下端部では、磁束密度が様々な方向成分を持つため、巻線中央部などに比べ、漏れ磁束が大きくなる傾向にある。
【０００５】
しかも、近年は、製造コスト低減のため、静止誘導電器が小型化し、漏れ磁束密度は高くなる傾向にある。また、漏れ磁束による損失低減のためには、巻線部の渦電流損失、鉄心締付け金具での損失及びそのシールドの損失を全体として低減することが望まれる。
【０００６】
上述の漏れ損失の低減手段として、珪素鋼板を複数枚重ねて製作した磁気シールドを用いることが提案されている。
【０００７】
例えば、特許文献１には、リボン状の珪素鋼板を複数枚積層し円板状に形成した磁性シールドとリブ材を一体に固着したシールドについて開示されている。また、特許文献２には、平板状の珪素鋼板を積層して作製された磁気シールドを吸音材で囲み、コイルを取り付けるクランプに取り付ける構造について開示されている。また、特許文献３には、鉄心締付け金具のコイルと対向する面に、透磁率の高い材質（珪素鋼板）の磁気シールドが設置された構造について開示されている。更に、特許文献４には、リボン状の珪素鋼板を直線状に複数枚積層して形成した磁気シールド（磁気クランプ）が、上下の締付け金具（支持部材）の近傍に配置されたシールドについて開示されている。
【先行技術文献】
【特許文献】
【０００８】
【特許文献１】特開昭６１−９９３１４号公報
【特許文献２】特開平０９−２９３６２２号公報
【特許文献３】特開平０８−２８８１５３号公報
【特許文献４】特開昭５８−１３９４１５号公報
【発明の概要】
【発明が解決しようとする課題】
【０００９】
特許文献１の構造では、漏れ磁束は磁気シールドに向かって流れるため、巻線端部での渦電流損の発生を低減する効果がある。しかし、磁束が珪素鋼板間を移動し難く、鉄心を支持する部材を介して鉄心に磁束が流入或いは流出するため、損失の低減効果は十分でない。また、円板状の磁気シールドは、製作が難しく、製作コストや取り付けコストがかかるという問題がある。また、特許文献２及び特許文献３の構造では、磁気シールドでの損失の発生は小さいものの、その背後にあるクランプ（特許文献２）や締付け金具（特許文献３）へ磁気シールドから磁束が渡り、そこで大きな損失を発生するという問題がある。更に、特許文献４の構造では、磁気シールドにより、上下の鉄心締付け金具の渦電流損失を大幅に低減できるが、巻線端部において巻線を構成する電線を横切るような磁束密度成分を低減することは簡単ではなく、巻線の渦電流損失を低減することは難しいという問題がある。
【００１０】
本発明は上述の点に鑑みなされたもので、その目的とするところは、巻線からの漏れ磁束に起因する巻線の渦電流損、鉄心締付け金具及び損失低減のための磁気シールドで発生する損失を全体として低減することができる静止誘導電器を提供することにある。
【課題を解決するための手段】
【００１１】
本発明の静止誘導電器は、上記目的を達成するために、複数の珪素鋼板が積層されて形成される鉄心脚部及び鉄心継鉄とからなる鉄心と、前記鉄心脚部に巻回された巻線と、該巻線の上下に配置されて前記鉄心を締め付け固定する鉄心締付け金具と、該鉄心締付け金具と前記巻線の間に配置された磁気シールドとを備え、前記鉄心締付け金具と前記磁気シールドとの軸方向距離が、前記鉄心と前記磁気シールドとの径方向距離より大きくなるように構成されていることを特徴とする。
【００１２】
特に、前記磁気シールドは、珪素鋼板が複数枚積層されて一体に形成され、その磁気シールドを形成する前記珪素鋼板の圧延方向が、前記鉄心を構成する珪素鋼板の圧延方向と直角となるように配置されていることが好ましい。
【発明の効果】
【００１３】
本発明によれば、巻線からの漏れ磁束に起因する巻線の渦電流損、鉄心締付け金具及び損失低減のための磁気シールドで発生する損失を全体として低減することができる。
【図面の簡単な説明】
【００１４】
【図１】本発明の静止誘導電器の実施例１である変圧器の主要部分を示す縦断面図である。
【図２】図１の変圧器における巻線上方の構造物の配置（下半分）及び他の構造物との位置関係（上半分）を示す平面図である。
【図３】図１の変圧器における巻線下方の構造物の配置（下半分）及び他の構造物との位置関係（上半分）を示す底面図である。
【図４】本発明の実施例１における上部鉄心締付け金具の側面から積層磁性体取付け構造物を見た側面図である。
【図５】本発明の実施例１における上部鉄心締付け金具の正面から積層磁性体取付け構造物を見た正面図である。
【図６】本発明の実施例１における積層磁性体の位置と漏れ磁束により発生する損失との関係を示す特性図である。
【図７】本発明の静止誘導電器の実施例２の変圧器における巻線上方の構造物の配置（下半分）及び他の構造物との位置関係（上半分）を示す平面図である。
【図８】本発明の静止誘導電器の実施例２の変圧器における巻線下方の構造物の配置（下半分）及び他の構造物との位置関係（上半分）を示す底面図である。
【図９】本発明の静止誘導電器の実施例３の変圧器における巻線上方の構造物の配置（下半分）及び他の構造物との位置関係（上半分）を示す平面図である。
【図１０】本発明の静止誘導電器の実施例４の変圧器における巻線上方の構造物の配置（下半分）及び他の構造物との位置関係（上半分）を示す平面図である。
【図１１】本発明の静止誘導電器の実施例５である変圧器の主要部分を示す縦断面図である。
【図１２】本発明の静止誘導電器の実施例５の変圧器における巻線上方の構造物の配置（下半分）及び他の構造物との位置関係（上半分）を示す底面図である。
【図１３】本発明の静止誘導電器の実施例６である変圧器の主要部分を示す縦断面図である。
【発明を実施するための形態】
【００１５】
以下、図示した実施例に基づいて本発明の静止誘導電器を説明する。なお、符号は、各実施例において、同一構成部品には同符号を使用する。
【実施例１】
【００１６】
図１に、本発明の静止誘導電器の実施例１である変圧器の構成を、図２及び図３に、本実施例の変圧器における巻線上方及び下方の構造物の配置（下半分）及び他の構造物との位置関係（上半分）を示す。なお、図２及び図３は、３つの主脚よりなる変圧器鉄心のうち、中央の主脚とその付近を取り出して示したものである（以下で説明する他の実施例も同様である）。
【００１７】
図１に示すように、本発明の実施例１である変圧器の主要部分は、珪素鋼板を径方向（ｙ方向）に複数枚積層して形成された鉄心脚部１Ａと鉄心継鉄１Ｂからなる鉄心１と、鉄心脚部１Ａに巻回された高圧側巻線４及び低圧側巻線５とを備え、鉄心１は、高圧側巻線４及び低圧側巻線５の上方に配置される上部鉄心締付け金具２と、高圧側巻線４及び低圧側巻線５の下方に配置される下部鉄心締付け金具３で固定されている。
【００１８】
上部鉄心締付け金具２は、縦板２ａと上板２ｂ及び下板２ｃから成る断面コ字状に形成され、その上部鉄心締付け金具２の下板２ｃに張出し構造物１１が設けられており、張出し構造物１１に取付けられている巻線押付け部材１３により、上部絶縁物６及び上部流路構造物（高圧側巻線４及び低圧側巻線５を冷却するための冷却油を流す流路を形成するもの）７を介して、高圧側巻線４及び低圧側巻線５を締付ける構造となっている。
【００１９】
また、上部鉄心締付け金具２と高圧側巻線４及び低圧側巻線５の間には、珪素鋼板を軸方向（ｚ方向）に複数枚積層して一体に形成配置された磁気シールド１０が配置されており、この磁気シールド１０は、ステンレス鋼製の磁気シールド取付け構造物１２で固定されている。
【００２０】
そして、本実施例では、磁気シールド１０と上部鉄心締付け金具２の下板２ｃとは、その軸方向（ｚ方向）距離がＨだけ離れており、また、磁気シールド１０の鉄心側端部と鉄心１とは、その径方向（ｙ方向）距離がＬだけ離れて配置されており、しかも、上記した軸方向距離Ｈは、径方向距離Ｌより大きくなるように磁気シールド１０が配置されている。
【００２１】
一方、下部鉄心締付け金具３は、縦板３ａと上板３ｂ及び下板３ｃから成る断面コ字状に形成され、その下部鉄心締付け金具３の上板３ｂ上には、下部流路構造物８（高圧側巻線４及び低圧側巻線５を冷却するための冷却油を流す流路を形成するもの）及び下部絶縁物９が配置され、高圧側巻線４及び低圧側巻線５を下側から支えている。下部絶縁物９の一部には、珪素鋼板を軸方向に複数枚積層して一体に形成配置された磁気シールド２０が埋め込まれている。
【００２２】
次に、高圧側巻線４及び低圧側巻線５の上方に配置されている磁気シールド１０について、詳細に説明する。
【００２３】
図２に示すように、本実施例の磁気シールド１０は、上部鉄心締付け金具２の長手方向（ｘ方向）に３分割され、中央磁気シールド１０ａと、中央磁気シールド１０ａの両端に配置された２つの端部磁気シールド１０ｂとで構成され、しかも、中央磁気シールド１０ａの平面形状が矩形に、２つの端部磁気シールド１０ｂの平面形状が台形に形成されている。
【００２４】
そして、本実施例では、中央磁気シールド１０ａと端部磁気シールド１０ｂは、その珪素鋼板の圧延方向（図２の下半分の矢印方向（ｙ方向））が、鉄心１を構成する珪素鋼板の圧延方向（ｚ方向）と直角となるように配置されている。
【００２５】
なお、中央磁気シールド１０ａと２つの端部磁気シールド１０ｂは、その珪素鋼板の平面が水平方向（ｙ方向）の状態で鉄心１を構成する珪素鋼板の圧延方向（ｚ方向）と直角となるように配置されているか、或いは中央磁気シールド１０ａと２つの端部磁気シールド１０ｂの平面が上下方向（ｚ方向）の状態で鉄心１を構成する珪素鋼板の圧延方向（ｚ方向）と直角となるように配置されているものである。
【００２６】
図２の上半分は、上部鉄心締付け金具２と磁気シールド１０、鉄心１と高圧側巻線４及び低圧側巻線５との位置関係を示している。該図に示すように、中央磁気シールド１０ａと端部磁気シールド１０ｂは、高圧側巻線４と低圧側巻線５との間隙をほぼ覆うように配置されているので、高圧側巻線４及び低圧側巻線５からの漏れ磁束を集め易くなっている。
【００２７】
なお、中央磁気シールド１０ａと端部磁気シールド１０ｂは、それぞれの形状に切断した珪素鋼板を重ね（例えば、１５０枚）たものを、液状の樹脂に浸け、その後、熱を加えて固化して形成されるものである。
【００２８】
次に、高圧側巻線４及び低圧側巻線５の下方に配置されている磁気シールド２０について、詳細に説明する。
【００２９】
図３に示すように、本実施例の磁気シールド２０は、下部鉄心締付け金具３の長手方向（ｘ方向）に３分割され、中央磁気シールド２０ａと、２つの中央磁気シールド２０ａの両端に配置された端部磁気シールド２０ｂとで構成され、しかも、中央磁気シールド２０ａの平面形状が矩形に、２つの端部磁気シールド２０ｂの平面形状が台形に形成されている。
【００３０】
そして、本実施例では、中央磁気シールド２０ａと端部磁気シールド２０ｂは、その珪素鋼板の圧延方向（図３の下半分の矢印方向（ｙ方向））が、鉄心１を構成する珪素鋼板の圧延方向（ｚ方向）と直角となるように配置されている。
【００３１】
なお、中央磁気シールド２０ａと端部磁気シールド２０ｂは、その珪素鋼板の平面が水平方向（ｙ方向）の状態で鉄心１を構成する珪素鋼板の圧延方向（ｚ方向）と直角となるように配置されているか、或いは中央磁気シールド２０ａと端部磁気シールド２０ｂの平面が上下方向（ｚ方向）の状態で鉄心１を構成する珪素鋼板の圧延方向（ｚ方向）と直角となるように配置されているものである。
【００３２】
図３の上半分は、下部鉄心締付け金具３と磁気シールド２０、鉄心１と高圧側巻線４及び低圧側巻線５との位置関係を示している。該図に示すように、中央磁気シールド２０ａと２つの端部磁気シールド２０ｂは、高圧側巻線４と低圧側巻線５との間隙をほぼ覆うように配置されている。
【００３３】
なお、中央磁気シールド２０ａと端部磁気シールド２０ｂの製作方法は、上述した中央磁気シールド１０ａと端部磁気シールド１０ｂの製作方法と同様である。
【００３４】
次に、磁気シールド取付け構造物１２の詳細について図４及び図５を用いて説明する。
【００３５】
該図に示すように、磁気シールド取付け構造物１２は、上部鉄心締付け金具側支持部材１２ａと、張出し構造物側支持部材１２ｂと、磁気シールド保持ケース１２ｃと、磁気シールド封止部材１２ｄとから構成されており、それぞれ、非磁性体の材料を用いて作製されている（本実施例では、ステンレス鋼で作製されている）。
【００３６】
上述の磁気シールド保持ケース１２ｃは、同部での損失の発生を抑制する目的で、幅の狭いステンレス鋼で構成した枠状の構造物である。また、磁気シールド封止部材１２ｄは、磁気シールド１０を磁気シールド保持ケース１２ｃに挿入した後、ネジ止め或いは溶接等で固定されている。
【００３７】
また、磁気シールド１０を挿入した磁気シールド保持ケース１２ｃは、鉄心１側が上部鉄心締付け金具側支持部材１２ａを介して上部鉄心締付け金具２の下板２ｃに、反鉄心１側が張出し構造物側支持部材１２ｂを介して張出し構造物１１に、それぞれ固定されている。
【００３８】
なお、磁気シールド１０の重量が小さい場合には、磁気シールド取付け構造物１２の全部、又はその一部を、繊維強化プラスチックなどの絶縁物で作製しても良い。
【００３９】
上述もしたが、鉄心１を構成する珪素鋼板の圧延方向は、上部鉄心締付け金具２の縦板２ａと並行で上下方向（ｚ方向）を向いており、磁気シールド１０を構成する珪素鋼板の圧延方向（ｙ方向）とは、ほぼ直角となっている。これにより、磁束の集中を起こすことなく、磁気シールド１０から鉄心１への磁束移行を可能にしている。
【００４０】
次に、本実施例における損失低減の効果について説明する。
【００４１】
図６は、磁気シールド１０の位置と高圧側巻線４と低圧側巻線５からの漏れ磁束により発生する損失の関係を示すもので、横軸は、磁気シールド１０と上部鉄心締付け金具２の下板２ｃとの距離Ｈを、磁気シールド１０の鉄心側端部と鉄心１との距離Ｌで割った値、縦軸は、漏れ磁束により発生する損失の総和であり、上部及び下部の磁気シールド１０及び２０を用いない場合の発生損失を１００％として示している。
【００４２】
該図から明らかなように、Ｈ／Ｌが０から大きくなるに従い、漏れ磁束により発生する損失は減少するが、Ｈ／Ｌが１より大きくなると徐々に飽和することが分かる。
【００４３】
このように本実施例では、高圧側巻線４と低圧側巻線５からの漏れ磁束は、主として磁気シールド１０に流れるが、磁気シールド１０と上部鉄心締付け金具２の下板２ｃとの距離Ｈが、磁気シールド１０の鉄心側端部と鉄心１との距離Ｌより大きくなるように形成しているため、磁気シールド１０からの漏れ磁束は、鉄心１に取り込まれるように流れるので、高圧側巻線４及び低圧側巻線５を構成する電線を横切る磁束を低減でき、高圧側巻線４及び低圧側巻線５の渦電流損失を低減できる。また、上部鉄心締付け金具２に入る磁束を大幅に低減でき、磁気シールド１０の発生損失は、非磁性シールドなどに較べ少ないため、上部及び下部鉄心締付け金具２及び３、上部及び下部の磁気シールド１０及び２０で発生する損失を低減できる。その結果、変圧器全体として、漏れ磁束による発生損失を低減できる効果がある。
【００４４】
なお、上述した実施例では、磁気シールド１０及び２０を３分割したものについて説明したが、磁気シールド１０及び２０は一体物で構成しても良い（以下に説明する他の実施例でも同様）。磁気シールド１０及び２０を一体物で構成することにより、作成し易い、機械的に強い、固定し易い等のメリットがある。
【実施例２】
【００４５】
図７及び図８に、本発明の静止誘導電器の実施例２の変圧器を示す。該図は、変圧器における巻線上方及び下方の構造物の配置（下半分）及び他の構造物との位置関係（上半分）を示すものである。
【００４６】
実施例１では、磁気シールド１０及び２０を構成する珪素鋼板の圧延方向が同じである複数の分割磁気シールドを用いたが、本実施例は、磁気シールド１０及び２０を構成する珪素鋼板の圧延方向が異なる複数の分割磁気シールドを用いた例である。
【００４７】
図７に示す如く、本実施例の巻線上方の磁気シールド１０も実施例１と同様に、上部鉄心締付け金具２の長手方向（ｘ方向）に３分割され、中央磁気シールド１０ａと、中央磁気シールド１０ａの両端に配置された２つの端部磁気シールド１０ｂとで構成され、しかも、中央磁気シールド１０ａの平面形状が矩形に、２つの端部磁気シールド１０ｂ平面形状が台形に形成されている。そして、本実施例では、中央磁気シールド１０ａは、その珪素鋼板の圧延方向（ｙ方向）が、鉄心１を構成する珪素鋼板の圧延方向（ｚ方向）と直角となるように配置され、かつ、２つの端部磁気シールド１０ｂの珪素鋼板の圧延方向（ｘ方向）が、中央磁気シールド１０ａの珪素鋼板の圧延方向（ｙ方向）に対して直角となるように配置されているものである。
【００４８】
同様に、図８に示す如く、巻線下方の磁気シールド２０も、下部鉄心締付け金具３の長手方向（ｘ方向）に３分割され、中央磁気シールド２０ａと、中央磁気シールド２０ａの両端に配置された２つの端部磁気シールド２０ｂとで構成され、中央磁気シールド２０ａの平面形状が矩形に、２つの端部磁気シールド２０ｂの平面形状が台形に形成されており、しかも、中央磁気シールド２０ａは、その珪素鋼板の圧延方向（ｙ方向）が、鉄心１を構成する珪素鋼板の圧延方向（ｚ方向）と直角となるように配置され、かつ、２つの端部磁気シールド２０ｂの珪素鋼板の圧延方向（ｘ方向）が、中央磁気シールド２０ａの珪素鋼板の圧延方向（ｙ方向）に対して直角となるように配置されている。他の構成は、実施例１と同様である。
【００４９】
このような本実施例の構成とすることにより、実施例１と同様な効果が得られることは勿論、高圧側巻線４と低圧側巻線５で生じた漏れ磁束が、端部磁気シールド２０ｂに取込まれたのち珪素鋼板の圧延方向（ｘ方向）に流れ、更に、中央磁気シールド１０ａを珪素鋼板の圧延方向（ｙ方向）に流れて鉄心１に取込まれるため、それ以外の部位に漏れる磁束を低減できる効果がある。また、巻線下方に配置される中央磁気シールド２０ａ及び端部磁気シールド２０ｂについても、上述した巻線上方に配置される磁気シールド１０の磁束の流れと同様の流れが生じ、それ以外の部位に漏れる磁束を低減できる効果がある。
【実施例３】
【００５０】
図９に、本発明の静止誘導電器の実施例３の変圧器を示す。該図は、変圧器における巻線上方の構造物の配置（下半分）及び他の構造物との位置関係（上半分）を示すものである。
【００５１】
図９に示す本実施例は、図７に示す実施例２の構成とほとんど同じであるが、巻線上方の磁気シールド１０の端部磁気シールドとして、平面形状が台形ではなく矩形である珪素鋼板で構成された端部磁気シールド１０ｃが用いられているところが異なっている。即ち、３分割された中央磁気シールド１０ａ及び２つの端部磁気シールド１０ｃが、平面形状が全て矩形に構成されているものである。しかも、本実施例では、その両端に位置する２つの端部磁気シールド１０ｃが、中央磁気シールド１０ａより断面積が小さく形成されている。
【００５２】
このような本実施例の構成とすることにより、実施例１と同様な効果が得られることは勿論、磁気シールド１０を製作する費用を削減できる効果がある。
【００５３】
なお、詳しい説明は省略するが、巻線下方の磁気シールド２０についても、同様の形状の磁気シールドを用いることができる。
【実施例４】
【００５４】
図１０に、本発明の静止誘導電器の実施例４の変圧器を示す。該図は、変圧器における巻線上方の構造物の配置（下半分）及び他の構造物との位置関係（上半分）を示すものである。
【００５５】
図１０に示す本実施例は、図７に示す実施例２の構成とほとんど同じであるが、端部磁気シールド１０ｃより他の主脚側に、別の端部磁気シールド１０ｄを配置し、上部鉄心締付け金具２の下部に、ほぼ切れ目なく磁気シールド１０を配置したものである。
【００５６】
なお、端部磁気シールド１０ｃは、中央磁気シールド１０ａより断面積が小さく形成され、端部磁気シールド１０ｃと端部磁気シールド１０ｄの断面積は略同じである。また、中央磁気シールド１０ａと端部磁気シールド１０ｃ及び１０ｄの珪素鋼板の圧延方向（ｙ方向）は同じであり、鉄心１を構成する珪素鋼板の圧延方向（ｚ方向）と直角となるように配置されているものである。
【００５７】
このような本実施例の構成とすることにより、実施例１と同様な効果が得られることは勿論、中央の主脚と他の主脚の間に位置する上部鉄心締付け金具２に取り込まれる磁束を低減でき、漏れ磁束により発生する損失を更に低減できる効果がある。
【実施例５】
【００５８】
図１１及び図１２に、本発明の静止誘導電器の実施例５の変圧器を示す。図１２は、変圧器における巻線下方の構造物の配置（下半分）及び他の構造物との位置関係（上半分）を示すものである。
【００５９】
図１１及び図１２に示す本実施例は、図１乃至図３に示す実施例１の構成とほとんど同じであるが、大容量変圧器に用いられる下部鉄心締付け金具を箱型の構造とした場合の例である。
【００６０】
即ち、本実施例は、下部鉄心締付け金具及びその付近の構造以外は図１乃至図３の構造と同じであるが、本実施例では、箱形下部鉄心締付け金具３３が用いられている。この箱形下部鉄心締付け金具３３で鉄心１を締め付け固定すると共に、箱形下部締付け金具３３の内側は、冷却のための油流路３５が形成されており、この油流路３５を流れた鉱油の一部は、箱形下部締付け金具３３の上部に設けられた油導入穴３７を通じて高圧側巻線４及び低圧側巻線５に流れるようになっている。
【００６１】
また、本実施例では、図１１に示すように、磁気シールド３０が下部絶縁物９に埋め込まれており、更に、磁気シールド３０は、図１２に示すように、平面形状が矩形に形成され、油導入穴３７を避けて配置され２つの磁気シールド３０ｂと、この磁気シールド３０ｂより断面積が大きく、かつ、油導入穴３７を避けて配置された２つの磁気シールド３０ｂ間を連結する別の磁気シールド３０ａとから構成されている。そして、２つの磁気シールド３０ｂを構成する珪素鋼板の圧延方向（ｙ方向）は、鉄心１を構成する珪素鋼板の圧延方向（ｚ方向）と直角となるように配置され、かつ、別の磁気シールド３０ａを構成する珪素鋼板の圧延方向（ｘ方向）は、磁気シールド３０ｂを構成する珪素鋼板の圧延方向（ｙ方向）と直角となるように配置されている。
【００６２】
このような本実施例の構成とすることにより、実施例１と同様な効果が得られることは勿論、磁気シールド３０ａ及び３０ｂに移行した磁束は、油導入穴３７を避けて配置され２つの磁気シールド３０ｂから鉄心１に移行することができ、また、鉄心１を構成する珪素鋼板と、鉄心１の油導入穴３７を避けて配置され２つの磁気シールド３０ｂを構成する珪素鋼板は、ほぼ直角となっており、磁束の集中を回避して油導入穴３７を避けて配置され２つの磁気シールド３０ｂから鉄心１に移行することができるので、磁気シールドで発生する損失を全体として低減できる効果が顕著である。
【実施例６】
【００６３】
図１３に、本発明の静止誘導電器の実施例６の変圧器を示す。図１３に示す本実施例は、図１乃至図３に示す実施例１の構成とほとんど同じであるが、巻線上方に配置される磁気シールド１０が絶縁物６に埋め込まれている構造となっている。
【００６４】
このような本実施例の構成とすることにより、実施例１と同様な効果が得られることは勿論、磁気シールド１０の固定が容易になる効果がある。
【００６５】
なお、本発明は上記した実施例に限定されるものではなく、様々な変形例が含まれる。例えば、上記した実施例は本発明を分かり易く説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００６６】
１…鉄心、１Ａ…鉄心脚部、１Ｂ…鉄心継鉄、２…上部鉄心締付け金具、２ａ…上部鉄心締付け金具の縦板、２ｂ…上部鉄心締付け金具の上板、２ｃ…上部鉄心締付け金具の下板、３…下部鉄心締付け金具、３ａ…下部鉄心締付け金具の縦板、３ｂ…下部鉄心締付け金具の上板、３ｃ…下部鉄心締付け金具の下板、４…高圧側巻線、５…低圧側巻線、６…上部絶縁物、７…上部流路構造物、８…下部流路構造物、９…下部絶縁物、１０、２０、３０、３０ａ、３０ｂ…磁気シールド、１０ａ、２０ａ…中央磁気シールド、１０ｂ、１０ｃ、１０ｄ、２０ｂ…端部磁気シールド、１１…張出し構造物、１２…磁気シールド体取付け構造物、１２ａ…上部鉄心締付け金具側支持部材、１２ｂ…張出し構造物側支持部材、１２ｃ…磁気シールド保持ケース、１２ｄ…磁気シールド封止部材、１３…巻線押し付け部材、３３…箱形下部鉄心締付け金具、３５…油流路、３７…油導入穴。
【図１】
2014216524.tif 000003
【図２】
2014216524.tif 000004
【図３】
2014216524.tif 000005
【図４】
2014216524.tif 000006
【図５】
2014216524.tif 000007
【図６】
2014216524.tif 000008
【図７】
2014216524.tif 000009
【図８】
2014216524.tif 000010
【図９】
2014216524.tif 000011
【図１０】
2014216524.tif 000012
【図１１】
2014216524.tif 000013
【図１２】
2014216524.tif 000014
【図１３】
2014216524.tif 000015